(57)【要約】　　　（修正有）【課題】社内の温度上昇を効果的に抑える事が出来、炎天下に自動車を駐車した場合の乳幼児の死亡事故や車内物の熱による変形や破損を防止する事が出来る車体クーラーカバーを提供すること。【解決手段】その１防水性素材からなるマット上の四隅と中央部に面接合ファスナーにより接着された袋を置きその中に市販されている冷媒が入る。又、その盛り上がった部分にビニール製の網を張って屋根全体に影を作り出し、３〜４ｃｍ程盛り上がったところを風が自由に出入りする事により車の屋根部分（又車内）が高温にならない様にした。その２薄い防水性マット上にスポンジ（吸水性の有る素材）を貼り付け、その上にホース又はバケツにより散水してその気化熱（蒸発）により車を冷却する。【選択図】図１
2004082989.tif 000002
【特許請求の範囲】
【請求項１】
その１
防水性素材からなるマットで前後・左右・中央に空間又は、取り外し可能な袋から構成されている。今回の物は四隅（屋根を覆う部分）と中央部に市販されている冷媒（アイスノン）を挿入出来る構造に成っている。
その２
薄いマット上にスポンジ（吸水性の有る素材）を貼り付け、ホース又はバケツの水を散水して、その気化熱（蒸発）により車を冷却する構造で有る。
【請求項２】
四隅と中央部に冷媒（市販のアイスノン）を挿入した為、その部分は他所より３〜４ｃｍ程盛り上がる。その上部にビニール製の網を張って屋根全体に影を作り出し、又３〜４ｃｍ盛り上がった所に風が自由に出入りする構造とした。
【請求項３】
四隅と中央部の盛り上がった所は固定するか取り外しが自由に出来、マットと袋、袋と網は面ファスナー（又はマジックテープ）により取り付け、取り外しは自由に行える事とした。
【請求項４】
前面運転席と後部座席のガラス窓には太陽光を反射する布又は、ビニールで覆い、色は白色又はシルバー等（デザイン的には１２色先可）とし４ヶ所に大型のビニール製吸盤（風に煽られない為）を取り付ける構造で有る。（吸盤は磁石でもよい）
【請求項５】
収納の為にマット、前後部に紐又はロープを取り付けマットを丸めて縛る事が出来る。又、前部左右ドアー及び後部左右ドアには盗難防止の為、先端を丸めた紐又はロープにてマットがずり落ちない為と両方を兼ねた構造とした。
【発明の詳細な説明】
【発明の属する技術分野】
本発明は車体クーラーカバーに関する物であり、その目的は車内の温度上昇を効果的に抑える事が出来、炎天下に自動車を駐車した場合の乳幼児の死亡事故や車内物の熱による変形や破損を防止する事が出来る車体クーラーカバーを提供することに有る。
【従来の技術】
最近、炎天下のパチンコ店やスーパーマーケットの駐車場において、主婦が車内に幼児を残したまま長時間駐車することにより車内の温度が急激に上昇して幼児が脱水症状を起こし死亡するという痛ましい事故が多発しており社会問題とさえなっている。
また、夏期炎天下においては車内の温度は４０〜５０℃に達するため、例え車内に人がいなくても、車内に置いてある製品が熱により変形してしまうことがあり例えばカセットテープが伸びて使用できなくなるなど様々な被害が生じていた。また車内に食品を置いて放置した場合、チーズやバター、チョコレート等が溶けて車内を汚したり、或いは生鮮食品等では腐ってしまうこともあった。さらに、ハンドルやシフトレバーが加熱されて運転手がすぐに触れることができないほど熱くなることもあった。
このような実情に鑑みて、駐車場に車内の温度が上がらないように車内に被せて使用する様々な車体カバーが存在してはいるものの、従来の車体に被せて使用する車体カバーは防水加工を施した布やテント生地を単に車の形に合わせて形成しただけのものであった。
【発明が解決しようとする課題】
このような従来の車体カバーは、太陽光が直接車体に照射するのを防ぐことにより車内の温度上昇を若干和らげることが出来るものの、その効果は微々たるものでしかなく長時間炎天下に駐車する場合には殆ど何の役にも立たないといっても過言ではなかった。
本発明はこのような課題を解決するためになされたものであって、車内の温度上昇を効果的に抑えることができ炎天下に自動車を駐車した場合の乳幼児の死亡事故や車内物の熱による変形や破損を防止することができる車体クーラーカバーを提供するものである。
【課題を解決する為の手段】
請求項１については、
防水性素材から成るマットに内部に冷媒（アイスノン）を挿入出来る空間、又は袋を四隅と中央部に取り付ける。
請求項２では、
四隅と中央部に冷媒の袋（市販のアイスノン）を挿入する為、その部分は他所より３〜４ｃｍ程盛り上がる、その上部にビニール又は、布の網を張る為屋根全体が影にて覆われ、四隅と中央部の盛り上った隙間を風が自由に移動する。
請求項３においては、
四隅と中央部の盛り上った所は固定しても良いし、取り外しも出来る構造とする。取り外し部分は面ファスナー（マジックテープ）による。ビニール製の網にも面ファスナー（マジックテープ）により取り付け、外しは自由に行える。
請求項４については、
前面の運転席と後部座席のガラス窓には、太陽光を反射する布又は、ビニールで覆う。色は白色又シルバーとし（デザイン的には１２色共可）４ヶ所（前後左右）に大型のビニール製吸盤又は磁石（風に煽られない為）を取り付ける。
請求項５に係わる発明では
収納する為の紐又はロープがマット前・後部に取り付けて有りマット本体を丸めて、縛る事が出来る。又は盗難を防ぐ為先端部を丸めて、前後左右のドアの窓を閉めた時に抜けない様にし、その装置によりマットもずり落ちない構造に成っている。
【発明の実施の形態】
【実施例】
【０００１】
以下、本発明に係わる車体クーラーカバーの実施形態図を参照し説明する図−１は本発明に係わる車体クーラーカバーの平面図である。
本体の車体クーラーカバー（１）はゴムや塩化ビニール、或いは透湿防水シート等の防水性素材からなり、シートの前後左右と中央部に市販の冷媒（アイスノン）が挿入出来る様になっている。
（２）については太陽光を反射する透湿防水シートで本体のシートより薄いもので良い。（３）については冷媒が入る袋であり底部には（８）面ファスナー（マジックテープ）が付いていて本体のシートに接着出来る。又、そのフタと上面にも（８）面ファスナー（マジックテープ）が付いており、市販冷媒（アイスノン）が外部へ飛び出ない様になっている。（８）の面ファスナー（マジックテープ）は図ー３の網、図ー４のスポンジ板にも接着出来る。
【０００２】
（４）については車体クーラーカバーを収納する為の紐又はロープで有りマットを丸めて縛る事が出来る。（５）は（２）の前後窓ガラスの上の太陽光を反射する布又はビニールが風により煽られるのを防止する吸盤である。
【０００３】
（６）は屋根全体を覆うビニール製又は防水布の網で屋根全体に影を作り出し、３〜４ｃｍ盛り上がった所を風が自由に出入する事により車内温度を上昇させなくしている。（７）は網の変わりに吸水性の有るスポンジを貼った物で、ホース又はバケツの水を散水して、その気化熱により車を冷却する。
【０００４】
（９）については車体クーラーカバー全体の盗難防止の為先端を丸めた紐又はロープにてマットがずり落ちない為と両方を兼ねたもので有る。
【発明の効果】
本発明は車内の温度上昇を効果的に抑える事が出来炎天下に自動車を駐車した場合の乳幼児の死亡事故や車内物の熱による変形や破損を防止することが出来る。
【図面の簡単な説明】
【図１】本発明に係わる車体クーラーカバーの実施例を示す平面図である。
【図２】車体クーラーカバーの断面図である。
【図３】符号６、網の平面図と符号８の面ファスナー（マジックテープ）の一を示す図である。
【図４】符号７、スポンジの平面図と符号８の面ファスナー（マジックテープ）の位置を示す図である。
【図５】全体の外観図と各部分の取付、位置を示す図である。「符号−３・４・５図」
符号３、冷媒を入れる袋の平面と断面図。
符号４、車体クーラーカバーを丸めて縛る紐の図面。
符号５、前後面のガラス窓用カバーの煽られ防止吸盤の図面。
「符号−８・９図」
抜け落ち防止止めと、面ファスナー（マジックテープ）の詳細図
【符号の説明】
１、車体クーラーカバー屋根部。
２、前部運転席、後部席用カバー。
３、前後、左右、中央部、空間又は冷媒用袋と位置。
４、車体クーラーカバー丸めて縛る紐、ロープ。
５、前部、及び後部カバーが風に煽られるのを防ぐ吸盤。
６、屋根部分を覆う網。
７、屋根部分覆うスポンジ。
８、面ファスナー（マジックテープ）
９、車体クーラーカバーの盗難防止と抜け落ち防止紐及び防止止め
【図１】
2004082989.tif 000003
【図２】
2004082989.tif 000004
【図３】
2004082989.tif 000005
【図５】
2004082989.tif 000006
【手続補正書】
【提出日】平成14年12月24日(2002.12.24)
【手続補正１】
【補正対象書類名】図面
【補正対象項目名】図３
【補正方法】変更
【補正の内容】
【図３】
2004082989.tif 000007
【手続補正２】
【補正対象書類名】図面
【補正対象項目名】図４
【補正方法】変更
【補正の内容】
【図４】
2004082989.tif 000008